(57)【要約】【課題】プラズマディスプレイ装置及びその駆動方法を提供すること。【解決手段】本発明に係るプラズマディスプレイ装置は、スキャン電極及びサステイン電極を備えるプラズマディスプレイパネルと、前記スキャン電極に、サステイン期間の間、正極性パルスと負極性パルスとを有する第１パルスを印加するスキャン駆動部と、前記スキャン電極に第１パルスが印加される間、前記サステイン電極に、前記正極性パルスの大きさと異なる負極性パルスと、前記負極性パルスの大きさと異なる正極性パルスとを有する第２パルスを印加するサステイン駆動部とを備える。【選択図】図４
2006227629.tif 000002
【特許請求の範囲】
【請求項１】
スキャン電極及びサステイン電極を備えるプラズマディスプレイパネルと、
前記スキャン電極に、サステイン期間の間、正極性パルスと負極性パルスとを有する第１パルスを印加するスキャン駆動部と、
前記スキャン電極に第１パルスが印加される間、前記サステイン電極に、前記正極性パルスの大きさと異なる負極性パルスと、前記負極性パルスの大きさと異なる正極性パルスとを有する第２パルスを印加するサステイン駆動部と
を備えたことを特徴とするプラズマディスプレイ装置。
【請求項２】
前記サステイン期間において、前記スキャン電極に最初に印加される正極性パルスと前記サステイン電極に最初に印加される負極性パルスとの間の電圧差は、残りの前記スキャン電極に印加される正極性パルスと前記サステイン電極に印加される負極性パルスとの間の電圧差より大きいことを特徴とする請求項１に記載のプラズマディスプレイ装置。
【請求項３】
前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれは、サブフィールドの加重値に応じて調整されることを特徴とする請求項１に記載のプラズマディスプレイ装置。
【請求項４】
３つの低階調サブフィールドのうち、少なくともいずれかのサブフィールドにおいて、前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれは、残りのサブフィールドにおいて、前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれより大きいことを特徴とする請求項３に記載のプラズマディスプレイ装置。
【請求項５】
前記スキャン電極に印加される正極性パルスと前記サステイン電極に印加される負極性パルスとの印加時点は、実質的に同じであり、
前記スキャン電極に印加される負極性パルスと前記サステイン電極に印加される正極性パルスとの印加時点は、実質的に同じであることを特徴とする請求項１に記載のプラズマディスプレイ装置。
【請求項６】
前記スキャン電極及び前記サステイン電極にそれぞれ印加される負極性パルスの電圧は、前記サステイン期間の前に前記スキャン電極に印加される立下りパルスの最低電圧と実質的に同じであることを特徴とする請求項１に記載のプラズマディスプレイ装置。
【請求項７】
前記スキャン電極及び前記サステイン電極にそれぞれ印加される正極性パルスの電圧は、前記サステイン電極に印加されるバイアス電圧と実質的に同じであることを特徴とする請求項１に記載のプラズマディスプレイ装置。
【請求項８】
前記スキャン電極及びサステイン電極にそれぞれ印加される前記正極性パルスと前記負極性パルスとの間には、一定期間の間、グラウンドレベルを維持することを特徴とする請求項１に記載のプラズマディスプレイ装置。
【請求項９】
スキャン電極及びサステイン電極を備えるプラズマディスプレイパネルと、
前記スキャン電極に、サステイン期間の間、正極性パルスと負極性パルスとを有する第１パルスを印加するスキャン駆動部と、
前記スキャン電極に、第１パルスが印加される間、前記サステイン電極に前記正極性パルスの幅と異なる負極性パルスと前記負極性パルスの幅と異なる正極性パルスとを有する第２パルスを印加するサステイン駆動部と
を備えたことを特徴とするプラズマディスプレイ装置。
【請求項１０】
前記サステイン期間において、前記スキャン電極に最初に印加される正極性パルスと前記サステイン電極に最初に印加される負極性パルスとの間の電圧差は、残りの前記スキャン電極に印加される正極性パルスと前記サステイン電極に印加される負極性パルスとの間の電圧差より大きいことを特徴とする請求項９に記載のプラズマディスプレイ装置。
【請求項１１】
前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差とのそれぞれは、サブフィールドの加重値に応じて調整されることを特徴とする請求項９に記載のプラズマディスプレイ装置。
【請求項１２】
３つの低階調サブフィールドのうち、少なくともいずれかのサブフィールドにおいて、前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれは、残りのサブフィールドにおいて、前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれより大きいことを特徴とする請求項９に記載のプラズマディスプレイ装置。
【請求項１３】
前記スキャン電極に印加される正極性パルスと前記サステイン電極に印加される負極性パルスとの印加時点は、実質的に同じであり、
前記スキャン電極に印加される負極性パルスと前記サステイン電極に印加される正極性パルスとの印加時点は、実質的に同じであることを特徴とする請求項９に記載のプラズマディスプレイ装置。
【請求項１４】
前記スキャン電極及び前記サステイン電極のぞれぞれに印加される負極性パルスの電圧は、前記サステイン期間の以前に前記スキャン電極に印加される立下りパルスの最低電圧と実質的に同じであることを特徴とする請求項９に記載のプラズマディスプレイ装置。
【請求項１５】
前記スキャン電極及び前記サステイン電極のそれぞれに印加される正極性パルスの電圧は、前記サステイン電極に印加されるバイアス電圧と実質的に同じであることを特徴とする請求項９に記載のプラズマディスプレイ装置。
【請求項１６】
前記スキャン電極及びサステイン電極にそれぞれ印加される前記正極性パルスと前記負極性パルスとの間には、一定期間の間、グラウンドレベルを維持することを特徴とする請求項９に記載のプラズマディスプレイ装置。
【請求項１７】
プラズマディスプレイ装置の駆動方法において、スキャン電極にサステイン期間の間、正極性パルスと負極性パルスとを有する第１パルスを印加するステップと、
前記スキャン電極に第１パルスが印加される間、前記サステイン電極に前記正極性パルスの大きさと異なる負極性パルスと前記負極性パルスの大きさと異なる正極性パルスとを有する第２パルスを印加するステップと
を含むことを特徴とするプラズマディスプレイ装置の駆動方法。
【請求項１８】
前記サステイン期間において、前記スキャン電極に最初に印加される正極性パルスと前記サステイン電極に最初に印加される負極性パルスとの間の電圧差は、残りの前記スキャン電極に印加される正極性パルスと前記サステイン電極に印加される負極性パルスとの間の電圧差より大きいことを特徴とする請求項１７に記載のプラズマディスプレイ装置の駆動方法。
【請求項１９】
前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれは、サブフィールドの加重値に応じて調整されることを特徴とする請求項１７に記載のプラズマディスプレイ装置の駆動方法。
【請求項２０】
３つの低階調サブフィールドのうち、少なくともいずれかのサブフィールドにおいて、前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれは、残りのサブフィールドにおいて、前記スキャン電極に印加される正極性パルスと前記サステイン電極に印加される負極性パルスとの間の電圧差と、前記スキャン電極に印加される負極性パルスと前記サステイン電極に印加される正極性パルスとの間の電圧差のそれぞれより大きいことを特徴とする請求項１９に記載のプラズマディスプレイ装置の駆動方法。
【請求項２１】
前記前記スキャン電極に印加される正極性パルスと前記サステイン電極に印加される負極性パルスとの印加時点は、実質的に同じであり、
前記スキャン電極に印加される負極性パルスと前記サステイン電極に印加される正極性パルスとの印加時点は、実質的に同じであることを特徴とする請求項１７に記載のプラズマディスプレイ装置の駆動方法。
【請求項２２】
前記スキャン電極及び前記サステイン電極のそれぞれに印加される負極性パルスの電圧は、前記サステイン期間の前に前記スキャン電極に印加される立下りパルスの最低電圧と実質的に同じであることを特徴とする請求項１７に記載のプラズマディスプレイ装置の駆動方法。
【請求項２３】
前記スキャン電極及び前記サステイン電極のそれぞれに印加される正極性パルスの電圧は、サステイン電極に印加されるバイアス電圧と実質的に同じであることを特徴とする請求項１７に記載のプラズマディスプレイ装置の駆動方法。
【請求項２４】
前記スキャン電極及びサステイン電極にそれぞれ印加される前記正極性パルスと前記負極性パルスとの間には、一定期間の間、グラウンドレベルを維持することを特徴とする請求項１７に記載のプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【背景技術】
【０００２】
一般に、プラズマディスプレイ装置は、ＬＣＤ，ＯＬＥＤ，ＦＥＤと共に、最近注目されつつあるディスプレイ装置である。
【０００３】
このようなプラズマディスプレイ装置は、画面が表示されるプラズマディスプレイパネルとプラズマディスプレイパネルを駆動するための駆動部とを備える。
【０００４】
図１は、一般的なプラズマディスプレイパネルの構造を示した図である。
【０００５】
図１に示したように、プラズマディスプレイパネルは、スキャン電極１０２及びサステイン電極１０３が対をなして形成された、複数の維持電極対が配列された前面パネル１００と、複数の維持電極対と交差するように複数のアドレス電極１１３が配列された後面パネル１１０とが、一定距離を隔てて平行に結合する。
【０００６】
前面パネル１００は、１つの放電セルで互いに放電させ、セルの発光を維持するために、前面ガラス１０１上にスキャン電極１０２及びサステイン電極１０３が形成される。スキャン電極及びサステイン電極は、それぞれ透明な物質からなる透明電極ａと銀（Ａｇ）などの金属材質で製作されたバス電極ｂとからなる。スキャン電極１０２及びサステイン電極１０３は、放電電流を制限し、電極対間を絶縁させる誘電体層１０４により覆われ、上部誘電体層１０４の上面には、放電条件を容易にするために、酸化マグネシウム（ＭｇＯ）を蒸着した保護層１０５が形成される。
【０００７】
後面パネル１１０は、スキャン電極１０２との書き込み放電によりデータの書き込みが可能なように、後面ガラス１１１上にアドレス電極１１３が形成される。また、アドレス電極１１３は、放電電流が制限されるように、下部誘電体層１１５により覆われ、複数の放電セルを形成するためのストライプタイプの隔壁１１２が平行を維持して下部誘電体層１１５の上部に配列される。また、下部誘電体層１１５の上部と隔壁１１２との間には、放電の際に、画像を表示するための可視光線を放出するＲ，Ｇ，Ｂ蛍光体１１４が塗布される。
【０００８】
このような構造のプラズマディスプレイパネルを駆動して画像階調を表現する方法を説明すれば、次の図２の通りである。
【０００９】
図２は、従来のプラズマディスプレイパネルの画像階調を実現する方法を示した図である。
【００１０】
図２に示したように、従来のプラズマディスプレイパネルにおける画像階調（Gray Level）の表現方法は、１フレームを発光回数の異なる複数のサブフィールドに分割し、各々のサブフィールドは、再び全てのセルを初期化させるためのリセット期間（ＲＰＤ）、放電されるセルを選択するためのアドレス期間（ＡＰＤ）、及び放電回数に応じて階調を実現するサステイン期間ＳＰＤに分割される。例えば、２５６階調で画像を表示しようとする場合、１／６０秒に該当するフレーム期間（１６．６７ｍｓ）は、８つのサブフィールドＳＦ１乃至ＳＦ８に分割され、８つのサブフィールドＳＦ１乃至ＳＦ８のそれぞれは、再びリセット期間、アドレス期間、及びサステイン期間に分割される。
【００１１】
各サブフィールドのリセット期間及びアドレス期間は、各サブフィールドごとに同じである。放電されるセルを選択するためのアドレス放電は、アドレス電極とスキャン電極である透明電極との間の電圧差により起きる。サステイン期間は、各サブフィールドにおいて、２ｎ（但し、ｎ＝０，１，２，３，４，５，６，７）の割合で増加する。このように、各サブフィールドにおいてサステイン期間が異なるようになるため、各サブフィールドのサステイン期間、すなわちサステイン放電回数を調整することによって、画像の階調を表現するようになる。このようなプラズマディスプレイパネルの駆動方法に係る駆動電圧を説明すれば、次の図３の通りである。
【００１２】
図３は、従来のプラズマディスプレイパネルの駆動方法に係る駆動波形を示した図である。
【００１３】
図３に示したように、プラズマディスプレイパネルは、全てのセルを初期化させるためのリセット区間、放電するセルを選択するためのアドレス区間、選択されたセルの放電を維持させるためのサステイン区間に分割されて駆動される。
【００１４】
リセット区間において、セットアップ区間には、全てのスキャン電極に立ち上がりランプ電圧が同時に印加される。この立ち上がりランプ電圧により、全画面の放電セル内には弱い暗放電（Dark Discharge）が起きる。このセットアップ放電により、アドレス電極及びサステイン電極上には、正極性の壁電荷が蓄積され、スキャン電極上には、負極性の壁電荷が蓄積される。
【００１５】
セットダウン区間には、立ち上がりランプ電圧が供給された後、立ち上がりランプ電圧のピック電圧より低い正極性電圧から低下し始めて、グラウンド（ＧＮＤ）レベル電圧以下の特定電圧レベルまで低下する立下りランプ電圧が、セル内に微弱な消去放電を起こすことによって、スキャン電極に過度に形成された壁電荷を十分に消去させるようになる。
【００１６】
このセットダウン放電により、アドレス放電が安定して起きることができる程度の壁電荷が、セル内に均一に残留する。
【００１７】
アドレス区間には、負極性のスキャン信号がスキャン電極に順次印加されると同時に、スキャン信号に同期されて、アドレス電極に正極性のデータ信号が印加される。このスキャン信号とデータ信号との電圧差とリセット区間で生成された壁電圧とが加算されながら、データ信号が印加される放電セル内には、アドレス放電が発生する。アドレス放電により選択されたセル内には、サステイン電圧Ｖｓが印加される時、放電を起こす程度の壁電荷が形成される。サステイン電極には、セットダウン区間とアドレス区間との間、スキャン電極との電圧差を低減して、スキャン電極との誤放電が起きないように正極性電圧Ｖｚｂが供給される。
【００１８】
サステイン区間には、スキャン電極とサステイン電極とに交互にサステイン信号が印加される。アドレス放電により選択されたセルは、セル内の壁電圧とサステイン信号とが加算されながら、毎サステイン信号が印加される時ごとに、スキャン電極とサステイン電極との間にサステイン放電、すなわち表示放電が起きるようになる。
【００１９】
このようにすることによって、１つのサブフィールドでのプラズマディスプレイパネルの駆動過程が完成される。
【００２０】
ところが、プラズマディスプレイパネルの精巧な放電メカニズムを考慮する時、このような１つのサブフィールドでのプラズマディスプレイパネルの駆動過程は、様々な問題点を内包しているが、特に、アドレス区間で発生したアドレス放電以後のサステイン区間でのサステイン放電は、次のような問題を持っている。
【００２１】
アドレス期間には、上述したように、サステイン電極に誤放電を防止するために正極性電圧Ｖｚｂを印加すると共に、スキャン電極に負極性のスキャンパルス、データ電極に正極性データパルスを印加することによって、アドレス放電を発生させる。アドレス放電の直後に、スキャン電極には、正極性の壁電荷が蓄積され、サステイン電極には、負極性の壁電荷が蓄積される。
以後、サステイン期間に発生するサステイン放電は、前記スキャン電極とサステイン電極とに蓄積された壁電荷の分布の差による壁電圧とサステインパルスの電圧とが加算されながら発生する。
【００２２】
ところが、最後のアドレス放電が発生した時点と最初のサステイン放電が発生する時点との間の時差と、放電空間の内外部の環境等の差により、最初のサステイン放電が発生する直前に、スキャン電極とサステイン電極上の正、負極性の壁電荷分布量の差が必然的に発生する。
【００２３】
このようなスキャン電極とサステイン電極上の正、負極性の壁電荷分布のバラツキは、サステイン放電を不安定にする要因として作用して、全体プラズマディスプレイパネルの駆動効率を低下させる主な要因となる。
【発明の開示】
【発明が解決しようとする課題】
【００２４】
そこで、本発明は、上記の従来の問題を解決するためになされたものであって、その目的は、プラズマディスプレイパネルの駆動時に安定したサステイン放電が発生し得るプラズマディスプレイ装置及びその駆動方法を提供することにある。
【００２５】
本発明の第１の実施形態に係るプラズマディスプレイ装置は、スキャン電極及びサステイン電極を備えるプラズマディスプレイパネルと、前記スキャン電極に、サステイン期間の間、正極性パルスと負極性パルスとを有する第１パルスを印加するスキャン駆動部と、前記スキャン電極に第１パルスが印加される間、前記サステイン電極に、前記正極性パルスの大きさと異なる負極性パルスと、前記負極性パルスの大きさと異なる正極性パルスとを有する第２パルスを印加するサステイン駆動部とを備える。
【００２６】
本発明の第２の実施形態に係るプラズマディスプレイ装置は、スキャン電極及びサステイン電極を備えるプラズマディスプレイパネルと、前記スキャン電極に、サステイン期間の間、正極性パルスと負極性パルスとを有する第１パルスを印加するスキャン駆動部と、前記スキャン電極に、第１パルスが印加される間、前記サステイン電極に前記正極性パルスの幅と異なる負極性パルスと前記負極性パルスの幅と異なる正極性パルスとを有する第２パルスを印加するサステイン駆動部とを備える。
【発明の効果】
【００２７】
本発明によれば、プラズマディスプレイパネルの駆動時に安定したサステイン放電を発生させることによって、駆動マージン及び駆動効率を向上させ得るという効果がある。
【発明を実施するための最良の形態】
【００２８】
本発明の第１の実施形態に係るプラズマディスプレイ装置は、スキャン電極及びサステイン電極を備えるプラズマディスプレイパネルと、前記スキャン電極に、サステイン期間の間、正極性パルスと負極性パルスとを有する第１パルスを印加するスキャン駆動部と、前記スキャン電極に第１パルスが印加される間、前記サステイン電極に、前記正極性パルスの大きさと異なる負極性パルスと、前記負極性パルスの大きさと異なる正極性パルスとを有する第２パルスを印加するサステイン駆動部とを備える。
【００２９】
サステイン期間において、前記スキャン電極に最初に印加される正極性パルスと前記サステイン電極に最初に印加される負極性パルスとの間の電圧差は、残りの前記スキャン電極に印加される正極性パルスと前記サステイン電極に印加される負極性パルスとの間の電圧差より大きいことを特徴とする。
【００３０】
前記正極性パルスと負極性パルスとの間の電圧差は、サブフィールドの加重値に応じて調整されることを特徴とする。
【００３１】
３つの低階調サブフィールドのうち、少なくともいずれかのサブフィールドにおいて、正極性パルスと負極性パルスとの間の電圧差は、残りのサブフィールドにおいて、前記正極性パルスと負極性パルスとの間の電圧差より大きいことを特徴とする。
【００３２】
前記正極性パルスと負極性パルスの印加時点は、実質的に同じであることを特徴とする。
【００３３】
前記負極性パルスの電圧は、前記サステイン期間の前に前記スキャン電極に印加される立下りパルスの最低電圧と実質的に同じであることを特徴とする。
【００３４】
前記正極性パルスの電圧は、前記サステイン電極に印加されるバイアス電圧と実質的に同じであることを特徴とする。
【００３５】
前記スキャン電極及びサステイン電極にそれぞれ印加される前記正極性パルスと前記負極性パルスとの間には、一定期間の間、グラウンドレベルを維持することを特徴とする。
【００３６】
以下では、本発明の第１の実施形態に係るプラズマディスプレイ装置を、添付した図面を参照して説明する。
【００３７】
＜第１の実施形態＞
【００３８】
図４は、本発明の第１の実施形態に係るプラズマディスプレイ装置の構造を示した図である。
【００３９】
図４に示したように、本発明に係るプラズマ表示装置は、プラズマディスプレイパネル１００と、プラズマディスプレイパネル１００の下部基板（図示せず）に形成されたアドレス電極Ｘ１乃至Ｘｍにデータを供給するためのデータ駆動部１２２と、スキャン電極Ｙ１乃至Ｙｎを駆動するためのスキャン駆動部１２３と、共通電極であるサステイン電極Ｚを駆動するためのサステイン駆動部１２４と、プラズマディスプレイパネルの駆動の際に、データ駆動部１２２、スキャン駆動部１２３、サステイン駆動部１２４を制御するためのタイミングコントロール部１２１と、それぞれの前記駆動部１２２、１２３、１２４に必要な駆動電圧を供給するための駆動電圧発生部１２５とを備える。
【００４０】
プラズマディスプレイパネル１００は、上部基板（図示せず）と下部基板（図示せず）とが一定の間隔を隔てて合着され、上部基板には、複数の電極、例えば、スキャン電極Ｙ１乃至Ｙｎ及びサステイン電極Ｚが対をなして形成され、下部基板には、スキャン電極Ｙ１乃至Ｙｎ及びサステイン電極Ｚと交差するように、アドレス電極Ｘ１乃至Ｘｍが形成される。
【００４１】
データ駆動部１２２には、図示していない逆ガンマ補正回路、誤差拡散回路などにより逆ガンマ補正及び誤差拡散された後、サブフィールドマッピング回路により各サブフィールドにマッピングされたデータが供給される。このようなデータ駆動部１２２は、タイミングコントロール部１２１からのタイミング制御信号ＣＴＲＸに応答してデータをサンプリングしラッチした後、そのデータをアドレス電極Ｘ１乃至Ｘｍに供給する。
【００４２】
スキャン駆動部１２３は、タイミングコントロール部１２１の制御下に、リセット期間の間、立ち上がりランプパルス（Ramp-up）と立下りランプパルス（Ramp-down）とをスキャン電極Ｙ１乃至Ｙｎに供給する。また、スキャン駆動部１２３は、タイミングコントロール部１２１の制御下に、アドレス期間の間、スキャン電圧−Ｖｙのスキャンパルス（Ｓｐ）をスキャン電極Ｙ１乃至Ｙｎに順次供給し、サステイン期間の間には、エネルギー回収回路（図示せず）を含んで、サステインパルスをスキャン電極Ｙ１乃至Ｙｎに供給する。
【００４３】
サステイン駆動部１２４は、タイミングコントロール部１２１の制御下に、サステイン期間の間、スキャン駆動部１２３と同様に、エネルギー回収回路（図示せず）を含んで、サステインパルス（ｓｕｓ）をサステイン電極Ｚに供給するようになる。この時、サステイン駆動部１２４に含まれたエネルギー回収回路は、スキャン駆動部１２３に含まれたエネルギー回収回路と同じ構造を有し、スキャン駆動部１２３に含まれたエネルギー回収回路と交互に動作する。
【００４４】
一方、サステイン期間にスキャン駆動部１２３及びサステイン駆動部１２４によりスキャン電極及びサステイン電極にそれぞれ供給されるサステインパルスは、次のように定義される。
【００４５】
スキャン駆動部１２３によりスキャン電極に印加されるサステインパルスを、第１パルスとし、第１パルスは、正極性パルス及び負極性パルスを含む。
【００４６】
また、第１パルスのうち、スキャン電極に先に印加されるパルスを最初のパルスｉｎｉｔｉａｌ  ｐｕｌｓｅとし、後に印加されるパルスを最後のパルスｆｉｎｉａｌ  ｐｕｌｓｅとする。
【００４７】
サステイン駆動部１２４によりサステイン電極に印加されるサステインパルスを第２パルスとし、第２パルスも正極性パルス及び負極性パルスを含む。
【００４８】
第２パルスもまた、サステイン電極に先に印加されるパルスを最初のパルスｉｎｉｔｉａｌ  ｐｕｌｓｅとし、後に印加されるパルスを最後のパルスｆｉｎｉａｌ  ｐｕｌｓｅとする。
【００４９】
タイミングコントロール部１２１は、垂直／水平同期信号とクロック信号とを受信し、リセット期間、アドレス期間、サステイン期間において、各駆動部１２２，１２３，１２４の動作タイミングと同期化とを制御するためのタイミング制御信号ＣＴＲＸ，ＣＴＲＹ，ＣＴＲＺを発生し、そのタイミング制御信号ＣＴＲＸ，ＣＴＲＹ，ＣＴＲＺを該当駆動部１２２，１２３，１２４に供給することによって、各駆動部１２２，１２３，１２４を制御する。
【００５０】
一方、データ制御信号ＣＴＲＸには、データをサンプリングするためのサンプリングクロック、ラッチ制御信号、エネルギー回収回路、及び駆動スイッチ素子のオン・オフタイムを制御するためのスイッチ制御信号が含まれる。スキャン制御信号ＣＴＲＹには、スキャン駆動部１２３内のエネルギー回収回路と駆動スイッチ素子のオン・オフタイムを制御するためのスイッチ制御信号が含まれ、サステイン制御信号ＣＴＲＺには、サステイン駆動部１２４内のエネルギー回収回路と駆動スイッチ素子のオン・オフタイムを制御するためのスイッチ制御信号が含まれる。
【００５１】
駆動電圧発生部１２５は、セットアップ電圧Ｖｓｅｔｕｐ、スキャン共通電圧Ｖｓｃａｎ−ｃｏｍ、スキャン電圧−Ｖｙ、サステイン電圧Ｖｓ、データ電圧Ｖｄなどを発生させる。このような駆動電圧は、放電ガスの組成や放電セル構造に応じて変わることができる。
【００５２】
図５ａは、本発明の第１の実施形態に係るプラズマディスプレイ装置の駆動方法を説明するための図である。
【００５３】
図５ａに示したように、本発明の第１の実施形態に係るプラズマディスプレイ装置は、プラズマディスプレイパネルの全てのセルを初期化するためのリセット期間、放電させるセルを選択するためのアドレス期間、選択されたセルの放電を維持させるサステイン期間に分けて駆動する。
【００５４】
まず、リセット期間は、放電セル内に電荷を蓄積するためのセットアップ期間と、セットアップ期間に放電セル内に過度に蓄積された電荷を消去するためのセットダウン期間とに分けられる。
【００５５】
セットアップ期間には、全画面を初期化するために、全てのスキャン電極Ｙ１乃至Ｙｎに次第に立ち上がる立ち上がりパルスを印加し、セットダウン期間には、立ち上がりパルスに続いて、次第に立下る立下りパルスを印加する。このようなセットアップ期間の立ち上がりパルスにより、プラズマディスプレイパネルの全画面の放電セル内には、弱い暗放電（Weak Discharge）が起きる。この時、セットアップ期間に発生する暗放電をセットアップ放電と言い、該セットアップ放電により、アドレス電極Ｘとサステイン電極Ｚ上には、正極性の壁電荷が蓄積され、スキャン電極Ｙ上には、多量の負極性の壁電荷が蓄積される。
【００５６】
また、セットダウン期間の立下りパルスにより、プラズマディスプレイパネル全画面の放電セル内には、再び弱い暗放電が起きる。この時、セットダウン期間に発生する暗放電をセットダウン放電と言い、該セットダウン放電により、スキャン電極上に蓄積されていた過度な量の負極性の電荷が適正な水準に消去される。すなわち、アドレス放電が安定して起きる程度の壁電荷が、セル内に均一に残留する。
【００５７】
アドレス期間の間には、アドレス電極Ｘに正極性のデータパルスが、スキャン電極に負極性のスキャンパルスが同期されて印加されると、アドレス電極とスキャン電極との間の電圧差と、リセット期間の間に形成された壁電荷によるアドレス電極とスキャン電極との間の壁電圧が加算されながら、アドレス放電が発生する。
【００５８】
次に、サステイン期間の間には、サステイン期間が始まる時点において、スキャン電極上に蓄積された正極性の電荷量がサステイン電極上に蓄積された負極性の電荷量より小さな場合、スキャン電極Ｙに最初の正極性パルスと最後の負極性パルスとを有する第１パルスを連続して印加し、サステイン電極Ｚには、第１パルスと実質的に同じ時間に最初の負極性パルスと最後の正極性パルスとを有する第２パルスを印加すれば、サステイン放電が発生する。
【００５９】
この時、スキャン電極に印加される最初の正極性パルスと最後の負極性パルスとの間には、一定期間の間、グラウンドレベルを維持し、最初の負極性パルスと最後の正極性パルスとの間にも一定期間の間、グラウンドレベルを維持する。
【００６０】
また、最初の正極性パルス及び最初の負極性パルスは、実質的に同じ時点に各電極に印加され、最後の負極性パルス及び最後の正極性パルスも、実質的に同じ時点に各電極に印加される。
【００６１】
この時、スキャン電極に印加される最初の正極性パルスの大きさＶｓａをサステイン電極に印加される最初の負極性パルスの大きさ−Ｖｓｂより大きく調整し、スキャン電極に印加される最後の負極性パルスの大きさ−Ｖｓｂの大きさを、サステイン電極に印加される最後の正極性パルスの大きさＶｓａより小さく調整する。
【００６２】
このように、サステイン期間が始まる時点でのスキャン電極とサステイン電極との間の壁電荷量の差による両電極間の壁電圧のバラツキを、スキャン電極とサステイン電極とに印加されるパルスの電圧の大きさと極性を別にして補償することによって、サステイン放電を安定して発生させることができる。
【００６３】
また、図５ｂに示したように、サステイン期間において、スキャン電極に最初に印加される最初の正極性パルスとサステイン電極に最初に印加される最初の負極性パルスとの間の電圧差は、残りの前記スキャン電極に印加される最初の正極性パルスとサステイン電極に印加される最初の負極性パルスとの間の電圧差と異なるようにし、サステイン期間において、スキャン電極に最初に印加される最後の負極性パルスとサステイン電極に最初に印加される最後の正極性パルスとの間の電圧差は、残りのスキャン電極に印加される最後の負極性パルスとサステイン電極に印加される最後の正極性パルスとの間の電圧差と異なるようにする。
【００６４】
さらに好ましくは、サステイン期間にスキャン電極に最初に印加される最初の正極性パルスとサステイン電極に最初に印加される最初の負極性パルスとの間の電圧差は、残りの前記スキャン電極に印加される最初の正極性パルスとサステイン電極に印加される最初の負極性パルスとの間の電圧差より大きくし、サステイン期間において、スキャン電極に最初に印加される最後の負極性パルスとサステイン電極に最初に印加される最後の正極性パルスとの間の電圧差は、残りのスキャン電極に印加される最後の負極性パルスとサステイン電極に印加される最後の正極性パルスとの間の電圧差より大きくする。
【００６５】
これは、アドレス期間において、スキャン電極及びサステイン電極に不安定に蓄積された壁電荷によるサステイン放電の不安定性を、より安定にするためである。
【００６６】
また、最初の正極性パルスと最初の負極性パルスとの間の電圧差と、前記最後の負極性パルスと最後の正極性パルスとの間の電圧差とのそれぞれは、サブフィールドの加重値に応じて調整され得る。すなわち、複数のサブフィールドからなる１フレームにおいて、階調加重値の低い低階調サブフィールドのうち、少なくとも１つのサブフィールドでの最初の正極性パルスと最初の負極性パルスとの間の電圧差と、前記最後の負極性パルスと最後の正極性パルスとの間の電圧差とのそれぞれは、異なる階調加重値を有するサブフィールドでの最初の正極性パルスと最初の負極性パルスとの間の電圧差と、前記最後の負極性パルスと最後の正極性パルスとの間の電圧差とのそれぞれより大きくする。この時、低階調サブフィールドは、階調加重値が最も低いサブフィールドから昇冪の順に３番目までのサブフィールドである。
【００６７】
これは、加重値に応じて各サブフィールドにおいてサステイン放電が不安定に発生するのを防止するためである。
【００６８】
一方、サステイン期間にスキャン電極またはサステイン電極に印加される最初の負極性パルスの電圧と前記最後の負極性パルスの電圧とのそれぞれは、セットダウン期間にスキャン電極に印加される立下りパルスの最低電圧と実質的に同じであり、最初の正極性パルスの電圧と前記最後の正極性パルスの電圧とのそれぞれは、セットダウン期間及びアドレス期間にサステイン電極に印加されるバイアス電圧と実質的に同じであることが好ましい。
【００６９】
これは、サステイン期間に印加されるパルスの電圧源とセットダウン期間やアドレス期間に印加されるパルスの電圧源とが同じくなるようにして、製造費用を低減するためである。
【００７０】
図６は、本発明の第１の実施形態に係るプラズマディスプレイ装置の駆動の際に、サステイン期間が始まる時点でのスキャン電極上の正極性の電荷量が、サステイン電極上の負極性の電荷量より多い場合における駆動方法を説明するための図である。
【００７１】
図６に示したように、リセット期間及びアドレス期間に印加される駆動波形は、図５ａに示された駆動波形と同様である。但し、サステイン期間にスキャン電極Ｙに最初の正極性パルスと最後の負極性パルスとを有する第１パルスを連続して印加し、サステイン電極Ｚには、第１パルスと実質的に同じ時間に最初の負極性パルスと最後の正極性パルスとを有する第２パルスを印加する。
【００７２】
図６において、サステイン期間に印加されるサステインパルスの説明は、図５ａ及び図５ｂと実質的に同様であるので、これに対する説明は省略する。
【００７３】
図７ａ及び図７ｂは、本発明の第１の実施形態に係る他のプラズマディスプレイ装置の駆動方法を説明するための図である。
【００７４】
図７ａ及び図７ｂの本発明の第１の実施形態に係る他のプラズマディスプレイ装置の駆動方法は、図５ａ及び図５ｂとほぼ同様である。但し、サステイン期間の間、スキャン電極に最初の正極性パルスを印加した後に、グラウンドを維持する一定期間なしで最後の負極性パルスを有する第１パルスが印加される。
【００７５】
また、図には示していないが、図６に対応する図７ａ及び図７ｂのような駆動波形で、本発明に係るプラズマディスプレイ装置が駆動できる。
【００７６】
＜第２の実施形態＞
【００７７】
本発明の第２の実施形態に係るプラズマディスプレイ装置の構造は、本発明の第１の実施形態に係るプラズマディスプレイ装置の構造と実質的に同じであるので、これに対する説明は省略する。
【００７８】
但し、スキャン駆動部とサステイン駆動部は、サステイン期間に極性と幅が異なる第１パルスと第２パルスをスキャン電極及びサステイン電極に供給する。
【００７９】
図８ａは、本発明の第２の実施形態に係るプラズマディスプレイ装置の駆動方法を説明するための図である。
【００８０】
図８ａに示したように、本発明の第２の実施形態に係るプラズマディスプレイ装置は、本発明の第１の実施形態に係るプラズマディスプレイ装置と同様に、プラズマディスプレイパネルの全てのセルを初期化するためのリセット期間、放電させるセルを選択するためのアドレス期間、選択されたセルの放電を維持させるサステイン期間に分けて駆動し、リセット期間及びアドレス期間において、本発明の第１の実施形態に係るプラズマディスプレイ装置と同様に駆動する。
【００８１】
但し、サステイン期間の間には、サステイン期間が始まる時点においてスキャン電極上に蓄積された正極性の電荷量がサステイン電極上に蓄積された負極性の電荷量より小さな場合、スキャン電極Ｙに最初の正極性パルスと最後の負極性パルスとを有する第１パルスを印加し、サステイン電極Ｚには、スキャン電極に第１パルスが印加される間、最初の正極性パルスの幅と異なる最初の負極性パルスと最後の負極性パルスの幅と異なる最後の正極性パルスとを有する第２パルスを印加する。
【００８２】
この時、スキャン電極に印加される最初の正極性パルスと最後の負極性パルスとの間には、一定期間の間、グラウンドレベルを維持し、最初の負極性パルスと最後の正極性パルスとの間にも、一定期間の間、グラウンドレベルを維持する。
【００８３】
図８ａにおいて、サステイン期間に印加されるサステインパルスの説明は、本発明の第１の実施形態と実質的に同じであるので、これに対する説明は省略する。
【００８４】
但し、図８ｂから分かるように、サステイン期間において、スキャン電極に印加される第１パルスのうち、最初の正極性パルスの幅Ｗ１をサステイン電極に印加される第２パルスのうち、最初の負極性パルスの幅Ｗ２と異なるようにし、スキャン電極に印加される第１パルスのうち、最後の負極性パルスの幅Ｗ２をサステイン電極に印加される第２パルスのうち、最後の正極性パルスの幅Ｗ１と異なるようにする。
【００８５】
さらに好ましくは、サステイン期間において、スキャン電極に印加される第１パルスのうち、最初の正極性パルスの幅Ｗ１をサステイン電極に印加される第２パルスのうち、最初の負極性パルスの幅Ｗ２より大きくし、スキャン電極に印加される第１パルスのうち、最後の負極性パルスの幅Ｗ２をサステイン電極に印加される第２パルスのうち、最後の正極性パルスの幅Ｗ１より小さくする。
【００８６】
このように、サステイン期間が始まる時点でのスキャン電極とサステイン電極との間の壁電荷量の差に応じる両電極間の壁電圧のバラツキをスキャン電極とサステイン電極に印加されるパルスの電圧の大きさと極性だけでなく、パルスの幅を異なるようにして補償することによって、サステイン放電を安定して発生することができる。
【００８７】
図９は、本発明の第２の実施形態に係るプラズマディスプレイ装置の駆動の際に、サステイン期間が始まる時点でのスキャン電極上の正極性の電荷量が、サステイン電極上の負極性の電荷量より多い場合の駆動方法を説明するための図である。
【００８８】
図９に示したように、リセット期間及びアドレス期間に印加される駆動波形は、図８ａに示した駆動波形と同様である。但し、サステイン期間において、スキャン電極Ｙに最初の負極性パルスと最後の正極性パルスとからなる第１パルスを連続して印加し、サステイン電極Ｚには、第１パルスと実質的に同じ時間に最初の負極性パルスの幅Ｗ１と異なる幅Ｗ２を有する最初の正極性パルスと、最後の正極性パルスの幅Ｗ２と異なるＷ１を有する最後の負極性パルスとからなる第２パルスを印加する。
【００８９】
図９において、サステイン期間に印加されるサステインパルスの説明は、図８ａ及び図８ｂと実質的に同様であるので、これに対する説明は省略する。
【００９０】
なお、本発明は、上記した実施の形態に限定されるものではなく、本発明に係る技術的思想の範囲から逸脱しない範囲内で様々な変更が可能であり、それらも本発明の技術的範囲に属する。
【図面の簡単な説明】
【００９１】
【図１】一般的なプラズマディスプレイパネルの構造を示した図である。
【図２】従来のプラズマディスプレイパネルの画像階調を実現する方法を示した図である。
【図３】従来のプラズマディスプレイパネルの駆動方法に係る駆動波形を示した図である。
【図４】本発明の第１の実施形態に係るプラズマディスプレイ装置の構造を示した図である。
【図５ａ】本発明の第１の実施形態に係るプラズマディスプレイ装置の駆動方法を説明するための図である。
【図５ｂ】本発明の第１の実施形態に係るプラズマディスプレイ装置の駆動方法を説明するための図である。
【図６】本発明の第１の実施形態における変形されたプラズマディスプレイ装置の駆動方法を説明するための図である。
【図７ａ】本発明の第１の実施形態に係るプラズマディスプレイ装置の駆動方法を説明するための図である。
【図７ｂ】本発明の第１の実施形態に係るプラズマディスプレイ装置の駆動方法を説明するための図である。
【図８ａ】本発明の第２の実施形態に係るプラズマディスプレイ装置の駆動方法を説明するための図である。
【図８ｂ】本発明の第２の実施形態に係るプラズマディスプレイ装置の駆動方法を説明するための図である。
【図９】本発明の第２の実施形態における変形されたプラズマディスプレイ装置の駆動方法を説明するための図である。
【図１】
2006227629.tif 000003
【図３】
2006227629.tif 000004
【図４】
2006227629.tif 000005
【図２】
2006227629.tif 000006
【図５ａ】
2006227629.tif 000007
【図５ｂ】
2006227629.tif 000008
【図６】
2006227629.tif 000009
【図７ａ】
2006227629.tif 000010
【図７ｂ】
2006227629.tif 000011
【図８ａ】
2006227629.tif 000012
【図８ｂ】
2006227629.tif 000013
【図９】
2006227629.tif 000014
【外国語明細書】
Title of Invention
PLASMA DISPLAY APPARATUS AND DRIVING METHOD THEREOF
This Nonprovisional application claims priority under 35 U.S.C. § 119(a) on Patent Application No. 10-2005-0013825 filed in Korea on February 18, 2005 the entire contents of which are hereby incorporated by reference.
BACKGROUND OF THE INVENTION
Field of the Invention
・  This document relates to a display apparatus, and more particularly, to a plasma display apparatus and a method of driving the plasma display apparatus. 
Background of the Related Art 
・  Recently, a plasma display apparatus has been widely considered together with a liquid crystal display (LCD), an organic electroluminescence display (OLED) and a field emission display (FED). 
・  The plasma display apparatus comprises a plasma display panel for displaying an image and a driver for driving the plasma display panel. 
・  FIG. 1 shows a structure of a related art plasma display panel. 
・  As shown in FIG. 1, the plasma display panel comprises a front panel 100 and a rear panel 110 which are coupled in parallel to be opposed to each other at a given distancetherebetween. A plurality of discharge cells are formed between the front panel 100 and the rear panel 110. The discharge cells are filled with discharge gas such as He+Xe or He+Ne+Xe. The front panel 100 comprises aplurality of scan electrodes 102 and a plurality of sustain electrodes 103in pairs to form a plurality of sustain electrode pairs. The rear panel 110 comprises a plurality of address electrodes 113 that intersect the plurality of sustain electrode pairs . 
・  The front panel 100 further comprises a front glass substrate 101 on which the scan electrodes 102 and the sustain electrodes 103 are formed. The sustain electrode pair maintains light-emissions of cells by a mutual discharge between the scan electrode 102 and the sustain electrode 103 in one discharge cell. Each of the scan electrode 102 and the sustain electrode 103 comprises transparent electrodes 102a and 103a made of a transparent material respectively and bus electrodes 102b and 103b made of a metal material such as Ag respectively. The front panel 100 further comprises an upper dielectric layer 104 that is formed on an upper part of the sustain electrode pairs to limit a discharge current and to provide insulation between the sustain electrode pairs. The plasma display panel further comprises a protective layer 105 made of MgO that  is formed on an upper surface of the upper dielectric layer 104 to facilitate discharge conditions. 
・  The rear panel 110 comprises a rear glass substrate 111 on which the address electrodes 113 are formed. Data is written by a writing discharge between the scan electrode 102 and the address electrode 113.  The rear panel 110 further comprises a lower dielectric layer 115 that is formed on an upper part of the address electrodes 113, to protect the address electrodes 113 from sputtering by plasma and to provide insulation between the address electrodes 113. The rear panel 110 further comprises a plurality of stripe-type barrier ribs 112 that are formed in parallel on the lower dielectric layer 115 to form a plurality of discharge cells. The rear panel 110 further comprises Red (R), green (G) and blue (B) phosphors 114 that are coated  an upper parts of the lower dielectric layer 115 exposed between the barrier ribs 113 and on side parts of the barrier ribs 112. to emit visible light.
・  A method of representing gray scale by driving the plasma display panel having the above-described structure is shown in FIG. 2.
・  FIG. 2 shows a method of representing gray scale of the related art plasma display panel of FIG. 1.  As shown in FIG. 2, one frame in the plasma display panel is divided into several subfields each of which has the number of light-emissions different from one another.  Each of the subfields comprises a reset period for initializing all cells, an address period for selecting cells to be discharged and a sustain period for representing gray scale in accordance with number of discharges.  For example, in a case of representing 256-level gray scale, a frame period (16.67 ms) corresponding to 1/60 sec is divided into eight subfields SF1 to SF8.  The eight subfields SF1 to SF8 each comprises a reset period, an address period and a sustain period. 
・  The duration of the reset period in one subfield is equal to the duration of the reset period in each of the remaining subfields.  The duration of the address period in one subfield is equal to the duration of the address period in each of the remaining subfields.  The voltage difference between an address electrode and a transparent electrode, which is a scan electrode, generates an address discharge for selecting the cells to be discharged.  The duration of sustain period increases in a ratio of 2n (n = 0, 1, 2, 3, 4, 5, 6, 7) in each of the subfields.  As described above, since the duration of the sustain period changes in each of the subfields, gray scale is represented by adjusting the sustain period of each of the subfields, that is, number of sustain discharges.  A driving waveform depending on a driving method of the plasma display panel is shown in FIG. 3.  
・  FIG. 3 shows a driving waveform depending on a driving method of a related art plasma display panel. 
・  As shown in FIG. 3, the plasma display panel is driven by dividing each of subfields into a reset period for initializing all cells, an address period for selecting cells to be discharged, and a  sustain period for discharge maintenance of the selected cells. 
・  In the reset period, a rising waveform is simultaneously applied to all scan electrodes Y during a setup period.  A weak dark discharge is generated within each of the discharge cells of the entire screen by the rising waveform.  By performing the weak dark discharge, positive wall charges are accumulated on address electrodes X and sustain electrodes Z and negative wall charges are accumulated on the scan electrodes Y. 
・  In a set-down period, a falling waveform, which falls from a positive voltage(for example Vs) lower than a peak voltage (Vs + Vst) of the rising waveform to a specific voltage of a ground level voltage or less, is supplied to the scan electrodes Y to generate a weak erasure discharge within the cells.  The weak erase discharge sufficiently erases the wall charges excessively accumulated on the scan electrode Y.  
・  By performing the weak erase discharge, the wall charges uniformly remain within the cells to the degree that there is enough wall charges in each cell for a stable address discharge. 
・  In the address period, a negative scan pulse is sequentially applied to the scan electrodes Y and, at the same time, a positive data pulses synchronized with the scan pulse are applied to the address electrodes X.  While the voltage difference between the negative scan pulse and the positive data pulse is added to the wall charges produced during the reset period, the address discharge is generated within the discharge cells to which the data pulse is applied.  The wall charges necessary for a sustain discharge when applying a sustain voltage Vs, are formed within the cells selected by performing the address discharge.  A positive voltage Vzb is supplied to the sustain electrode Z during the set-down period and the address period to decrease the voltage difference between the sustain electrode Z and the scan electrode Y.  Accordingly, an erroneous discharge between the sustain electrode Z and the scan electrode Y is prevented. 
・  In the sustain period, a sustain pulse is alternately supplied to the scan electrode Y and the sustain electrode Z.  While the wall voltage within the cells selected by performing the address discharge is added to the sustain pulse, a sustain discharge, that is, a display discharge, is generated between the scan electrode Y and the sustain electrode Z whenever the sustain pulse is applied. 
・  The plasma display panel in one subfield is driven by the above-described processes. 
・  Considering the sophisticated discharge mechanism of the plasma display panel, the driving processes of the plasma display panel in one subfield include several problems.  In particular, the sustain discharge performed after the address discharge has the following problems. 
・  In the address period, as described above, while the positive voltage Vzb is applied to the sustain electrode Z to prevent the erroneous discharge, the negative scan pulse and positive data pulse are applied to the scan electrode Y and the address electrode X, respectively.  As a result, the address discharge is generated.  The positive wall charges and the negative wall charges are accumulated on the scan electrode Y and the sustain electrode Z, immediately after performing the address discharge. 
・  Afterwards, the sustain discharge is generated during the sustain period by adding wall voltages of the wall charges accumulated on each of the scan electrode Y and the sustain electrode Z to the sustain voltage Vs. 
・  However, the difference between the amount of positive wall charges on the scan electrode Y and the amount of negative wall charges on the sustain electrode Z, immediately before generating a first sustain discharge, is necessarily generated due to the difference between generation time points of a last address discharge and the first sustain discharge and the difference between internal and external environments of a discharge space. 
・  As described above, the difference in the amount of positive wall charges and negative wall charges on each of the scan electrode Y and the sustain electrode Z generates the unstable sustain discharge.  Accordingly, a driving efficiency of the plasma display panel is reduced. 
SUMMARY OF THE INVENTION
・  Accordingly, an object of the present invention is to solve at least the problems and disadvantages of the background art.
・  Embodiments of the present invention provide a plasma display apparatus for generating a stable sustain discharge when driving a plasma display panel, and a driving method thereof.  
・  According to an aspect of the present invention, there is provided a plasma display apparatus comprising a plasma display panel comprising a scan electrode and a sustain electrode, a scan driver for supplying a first pulse including a positive pulse having a first magnitude and a negative pulse having a second magnitude to the scan electrode during a sustain period, and a sustain driver for supplying a second pulse including a negative pulse having a third magnitude different from the first magnitude of the positive pulse of the first pulse and a positive pulse having a fourth magnitude different from the second magnitude of the negative pulse of the first pulse to the sustain electrode during the application of the first pulse to the scan electrode.
・  According to another aspect of the present invention, there is provided a plasma display apparatus comprising a plasma display panel comprising a scan electrode and a sustain electrode, a scan driver for supplying a first pulse including a positive pulse having a first width and a negative pulse having a second width to the scan electrode during a sustain period, and a sustain driver for supplying a second pulse including a negative pulse  having a third width different from the first width of the positive pulse of the first pulse and a positive pulse having a fourth width different from the second width of the negative pulse of the first pulse to the sustain electrode during the application of the first pulse to the scan electrode.
・  The plasma display apparatus and the driving method thereof according to the embodiments of the present invention enable the plasma display apparatus to generate the stable sustain discharge when driving the plasma display panel, thereby improving a driving margin and a driving efficiency of the plasma display panel.
DETAILED DESCRIPTION OF PREFERRED EMBODIMENTS
・  Preferred embodiments of the present invention will be described in a more detailed manner with reference to the drawings. 
・  A plasma display apparatus according to one embodiment of the present invention comprises a plasma display panel 100comprising a scan electrode and a sustain electrode, a scan driver for supplying a first pulse including a positive pulse having a first magnitude and a negative pulse having a second magnitude to the scan electrode during a sustain period, and a sustain driver for supplying a second pulse including a negative pulse having a third magnitude different from the first magnitude of the positive pulse of the first pulse and a positive pulse having a fourth magnitude different from the second magnitude of the negative pulse of the first pulse to the sustain electrode during the application of the first pulse to the scan electrode.  
・  The voltage difference between the positive pulse initially applied to the scan electrode and the negative pulse initially applied to the sustain electrode is more than the voltage differences between the remaining positive pulse applied to the scan electrode and the remaining negative pulse applied to the sustain electrode during the sustain period. 
・  Each of the voltage difference between the positive pulse applied to the scan electrode and the negative pulse applied to the sustain electrode and the voltage difference between the negative pulse applied to the scan electrode and the positive pulse applied to the sustain electrode  is controlled in accordance with weight values of subfields. 
・  Each of the voltage difference between the positive pulse applied to the scan electrode and the negative pulse applied to the sustain electrode and the voltage difference between the negative pulse applied to the scan electrode and the positive pulse applied to the sustain electrode in at least one of three low-level gray subfields is more than each of the voltage difference between the positive pulse applied to the scan electrode and the negative pulse applied to the sustain electrode and the voltage difference between the negative pulse applied to the scan electrode and the positive pulse applied to the sustain electrode in the remaining subfields.
・  An application time point of the positive pulse applied to the scan electrode is substantially the same as an application time point of the negative pulse applied to the sustain electrode, and an application time point of the negative pulse applied to the scan electrode is substantially the same as an application time point of the positive pulse applied to the sustain electrode.
・  A voltage of the negative pulse applied to each of the scan electrode and the sustain electrode is substantially equal to a lowest voltage of a falling pulse applied to the scan electrode prior to the sustain period. 
・  A voltage of the positive pulse applied to each of the scan electrode and the sustain electrode is substantially equal to a bias voltage applied to the sustain electrode.
・  A ground level voltage is maintained between the positive pulse and the negative pulse applied to the scan electrode and the sustain electrode.  
・  Hereinafter, exemplary embodiments of the present invention will be described in detail with reference to the attached drawings. 
・  <First Embodiment> 
・  FIG. 4 shows a structure of a plasma display apparatus according to a first embodiment of the present invention.
・  As shown in FIG. 4, the plasma display apparatus according to the first embodiment of the present invention comprises a plasma display panel 100, a data driver 122, a scan driver 123, a sustain driver 124, a timing controller 121 and a driving voltage generator 125.  The data driver 122 supplies data to address electrodes X1 to Xm formed on a lower substrate (not shown) of the plasma display panel 100.  The scan driver 123 drives scan electrodes Y1 to Yn and the sustain driver 124 drives sustain electrodes Z being common electrodes.  The timing controller 121 controls the data driver 122, the scan driver 123 and the sustain driver 124 when driving the plasma display panel 100. The driving voltage generator 125 supplies a necessary driving voltage to each of the drivers 122, 123 and 124. 
・  For example, the plasma display panel 100 has a front panel and a rear panel as described in FIG. 1. The front panel has a front glass substrate, sustain electrode pairs including a scan electrode Y1 to Yn and sustain electrodes Z arranged on the front glass substrate, an upper dielectric layer covering the sustain electrode pairs and an protective layer covering the upper dielectric layer. The rear panel has a rear glass substrate, address electrodes X1 to Xm arranged on the rear glass substrate, an lower dielectric layer covering the address electrodes X1 to Xn, barrier ribs arranged on the lower dielectric layer, Red,Green and Blue phosphors coated on the side surface of the barrier ribs and on the lower dielectric layer between the barrier ribs. An upper substrate (not shown) and the lower substrate of the plasma display panel 100 are coalesced with each other at a given distance.  On the upper substrate, a plurality of electrodes, for example, the scan electrodes Y1 to Yn and the sustain electrodes Z are formed in pairs.  On the lower substrate, the address electrodes X1 to Xm are formed to intersect the scan electrodes Y1 to Yn and the sustain electrodes Z.  
・  The data driver 122 receives data, which is inverse-gamma corrected and error diffused in an inverse gamma correction circuit (not shown) and an error diffusion circuit (not shown) and then mapped to each of subfields in a subfield mapping circuit (not shown).  The data driver 122 supplies the data, which is sampled and latched in response to a timing control signal CTRX supplied from the timing controller 121, to the address electrodes X1 to Xm.
・  Under the control of the timing controller 121, the scan driver 123 supplies a rising pulse and a falling pulse to the scan electrodes Y1 to Yn during a reset period.  Further, the scan driver 123 sequentially supplies a scan pulse of a scan voltage -Vy to the scan electrodes Y1 to Yn during an address period.  The scan driver 123 supplies a sustain pulse generated by an energy recovery circuit (not shown) installed in the scan driver 123 to the scan electrodes Y1 to Yn during a sustain period. 
・  Under the control of the timing controller 121, the sustain driver 124 supplies a sustain pulse generated by an energy recovery circuit (not shown) installed in the sustain driver 124 to the sustain electrodes Z during a sustain period.  At this time, the structure of the energy recovery circuit of the sustain driver 124 is the same as the structure of the energy recovery circuit of the scan driver 123.  The energy recovery circuits of the sustain driver 124 and the scan driver 123 are alternately operated. 
・  The sustain pulses, which the scan driver 123 and the sustain driver 124 supply to the scan electrodes Y1 to Yn and the sustain electrodes Z during the sustain period, are defined as follows. 
・  The sustain pulse which the scan driver 123 supplies to the scan electrodes Y1 to Yn is called a first pulse.  The first pulse includes a positive pulse and a negative pulse. 
・  A pulse initially applied to the scan electrode is called an initial pulse and a pulse secondly applied to the scan electrode is called a final pulse as shown in FIG.5a. 
・  The sustain pulse which the sustain driver 124 supplies to the sustain electrodes Z is called a second pulse.  The second pulse includes a positive pulse and a negative pulse. 
・  A pulse initially applied to the sustain electrode is called an initial pulse and a pulse secondly applied to the sustain electrode is called a final pulse as shown in FIG. 5a. 
・  The timing controller 121 receives a vertical/horizontal synchronization signal and a clock signal.  The timing controller 121 generates timing control signals CTRX, CTRY and CTRZ for controlling operation timing and synchronization of each of the drivers 122, 123 and 124 in the reset period, the address period and the sustain period.  The timing controller 121 supplies the timing control signals CTRX, CTRY and CTRZ to the corresponding drivers 122, 123 and 124 to control each of the drivers 122, 123 and 124. 
・  The data control signal CTRX includes a sampling clock for sampling data, a latch control signal, and a switch control signal for controlling an on/off time of an energy recovery circuit and a driving switch element.  The scan control signal CTRY includes a switch control signal for controlling an on/off time of the energy recovery circuit of the scan driver 123 and a driving switch element.  The sustain control signal CTRZ includes a switch control signal for controlling on/off time of the energy recovery circuit of the sustain driver 124 and a driving switch element. 
・  The driving voltage generator 125 generates a setup voltage Vsetup, a scan common voltage Vscan-com, a scan voltage -Vy, a sustain voltage Vs, and a data voltage Vd. The driving voltages may be changed in accordance with a composition of a discharge gas or a structure of the discharge cells. 
・  FIGS. 5a and 5b illustrate a driving method of the plasma display apparatus according to the first embodiment of the present invention. 
・  As shown in FIG. 5a, the plasma display apparatus of the first embodiment of the present invention is driven by dividing each of subfields into a reset period for initializing all cells of the plasma display panel 100, an address period for selecting cells to be discharged and a sustain period for discharge maintenance of the selected cells. 
・  The reset period is divided into a setup period for accumulating wall charges within the discharge cells and a set-down period for erasing the wall charges excessively accumulated within the discharge cells during the setup period.  
・  A rising pulse, which gradually rises, is applied to all of the scan electrodes Y (Y1 to Yn) during the setup period to initialize all of the cells.  A falling pulse, which gradually falls, is applied to all of the scan electrodes Y during the set-down period.  A weak dark discharge is generated within the discharge cells of the entire screen of the plasma display panel by the application of the rising pulse during the setup period.  The dark discharge generated during the setup period is called a setup discharge. By performing the setup discharge, positive wall charges are accumulated on the address electrodes X(X1 to Xm) and the sustain electrodes Z, and a large amount of negative wall charges are accumulated on the scan electrodes Y. 
・  A weak dark discharge is again generated within the discharge cells of the entire screen of the plasma display panel by the application of the falling pulse during the set-down period.  The dark discharge generated during the set-down period is called a set-down discharge. By performing the set-down discharge, the large amount of negative wall charges accumulated on the scan electrode are erased to a proper level.  As a result, the wall charges uniformly remain within the cells to the degree that there is enough wall charge in each cell  for a stable address discharge. 
・  In the address period, a negative scan pulse and positive data pulses synchronized with the negative scan pulses are applied to the scan electrode Y and the address electrodes X, respectively.  While the difference between voltages of the positive data pulse and the negative scan pulse is added to wall voltages of the wall charges formed on each of the scan electrode and the address electrode during the reset period, the address discharge is generated. 
・  In the sustain period, when the amount of positive wall charges accumulated on the scan electrode Y at a time when the sustain period starts is less than the amount of negative wall charges accumulated on the sustain electrode Z at the time, the first pulse including the initial positive pulse and the final negative pulse is sequentially applied to the scan electrode Y.  Further, the second pulse including the initial negative pulse and the final positive pulse is applied to the sustain electrode Z.  At this time, an application time point of the second pulse is substantially the same as an application time point of the first pulse.  A sustain discharge is generated by the supply of the first pulse and the second pulse. 
・  At this time, a ground level voltage is maintained for a first time interval between the initial positive pulse and the final negative pulse applied to the scan electrode Y.  Further, a ground level voltage is maintained for a second time interval between the initial negative pulse and the final positive pulse applied to the sustain electrode z. The first time interval and the second time interval may be equal to each other or different from each other.
・  The initial positive pulse and the initial negative pulse are applied at the substantially same application time point.  Further, the final positive pulse and the final negative pulse are applied at the substantially same application time point. 
・  At this time, a voltage Vsa of the initial positive pulse supplied to the scan electrode is adjusted to be more than an absolute value of a voltage -Vsb of the initial negative pulse supplied to the sustain electrode.  Further, an absolute value of a voltage -Vsb of the final negative pulse supplied to the scan electrode during the sustain period is adjusted to be less than a voltage Vsa of the final positive pulse supplied to the sustain electrode.
・  As described above, the difference between the wall voltages of the scan electrode and the sustain electrode caused by the difference between the amount of wall charges of each of the scan electrode and the sustain electrode at the time when the sustain period starts, is compensated by charging the voltages and the polarities of the first and second pulses applied to the scan electrode and the sustain electrode.  Accordingly, the stable sustain discharge is generated.  
・  As shown in FIG. 5b, the voltage difference between the initial positive pulse initially applied to the scan electrode and the initial negative pulse initially applied to the sustain electrode may be different from the voltage difference between the remaining initial positive pulse applied to the scan electrode and the remaining initial negative pulse applied to the sustain electrode during the sustain period.  Further, the voltage difference between the final negative pulse initially applied to the scan electrode and the final positive pulse initially applied to the sustain electrode may be different from the voltage difference between the remaining final negative pulse applied to the scan electrode and the remaining final positive pulse applied to the sustain electrode during the sustain period.
・  More preferably, the voltage difference between the initial positive pulse initially applied to the scan electrode and the initial negative pulse initially applied to the sustain electrode is more than the voltage difference between the remaining initial positive pulse applied to the scan electrode and the remaining initial negative pulse applied to the sustain electrode during the sustain period.  The voltage difference between the final negative pulse initially applied to the scan electrode and the final positive pulse initially applied to the sustain electrode is more than the voltage difference between the remaining final negative pulse applied to the scan electrode and the remaining final positive pulse applied to the sustain electrode during the sustain period.
・  This stabilizes the unstable sustain discharge caused by the wall charges unstably accumulated on the scan electrode and the sustain electrode during the address period.  
・  Each of the voltage difference between the initial positive pulse and the initial negative pulse and the voltage difference between the final negative pulse and the final positive pulse iscontrolled in accordance with weight values of subfields.  For example, in one frame including a plurality of subfields, the voltage difference between the initial positive pulse and the initial negative pulse and the voltage difference between the final negative pulse and the final positive pulse in at least one of low-level gray subfields of low-level gray weight, are more than the voltage difference between the initial positive pulse and the initial negative pulse and the voltage difference between the final negative pulse and the final positive pulse in the subfields of gray weight different from the low-level scale weight, respectively.  The low-level gray subfields of the low gray weight include a subfield of a lowest gray weight to a third subfield in ascending order. 
・  This prevents the unstable sustain discharge from occurring in each of the subfields in accordance with the weight value. 
・  Preferably, a voltage of the initial negative pulse and a voltage of the final negative pulse applied to the scan electrode or the sustain electrode during the sustain period are substantially equal to a lowest voltage (-Vy) of the falling pulse applied to the scan electrode during the set-down period.  Preferably, a voltage of the initial positive pulse and a voltage of the final positive pulse are substantially equal to a bias voltage (-Vzb) applied to the sustain electrode during the set-down period and the address period. 
・  Accordingly, voltage sources of the pulses applied during the sustain period are identical with voltage sources of the pulses applied during the set-down period and the address period.  As a result, the manufacturing cost of the plasma display apparatus decreases. 
・  FIG. 6 illustrate a driving method of the plasma display apparatus when the amount of positive wall charges accumulated on the scan electrode at the time when the sustain period starts is more than the amount of negative wall charges accumulated on the sustain electrode at the time on driving the plasma display apparatus according to the first embodiment of the present invention. 
・  In FIG. 6, driving waveforms applied during the reset period and the address period are the same as the driving waveforms applied during the reset period and the address period in FIG. 5a.  Only, the first pulse including the initial negative pulse and the final positive pulse is sequentially applied to the scan electrode Y during the sustain period.  The second pulse including the initial positive pulse and the final negative pulse is applied to the sustain electrode Z during the sustain period.  An application time point of the first pulse is substantially the same as an application time point of the second pulse. 
・  Since the sustain pulse applied during the sustain period in FIG. 6 is the same as the sustain pulse of FIGS. 5a and 5b, a description thereof is omitted. 
・  FIGS. 7a and 7b illustrate a driving method of another plasma display apparatus according to the first embodiment of the present invention. 
・  The driving method of another plasma display apparatus according to the first embodiment of the present invention in FIGS. 7a and 7b is substantially the same as the driving method shown in FIGS. 5a and 5b.  Only, after applying the initial positive pulse to the scan electrode during the sustain period, the final negative pulse is applied to the scan electrode without a maintenance period of a ground level voltage.  
Although it is not shown in the drawings, another plasma display apparatus according to the first embodiment of the present invention is driven by the driving waveform of FIGS. 7a and 7b corresponding to FIG. 6. 
・  A plasma display apparatus according to another embodiment of the present invention comprises a plasma display panel comprising a scan electrode and a sustain electrode, a scan driver for supplying a first pulse including a positive pulse having a first width and a negative pulse having a second width to the scan electrode during a sustain period and, a sustain driver for supplying a second pulse including a negative pulse  having a third width different from the first width of the positive pulse of the first pulse and a positive pulse  having a fourth width different from the second width of the negative pulse of the first pulse to the sustain electrode during the application of the first pulse to the scan electrode.  
・  <Second Embodiment> 
・  Since a structure of a plasma display apparatus according to a second embodiment of the present invention is substantially the same as the structure of the plasma display apparatus according to the first embodiment of the present invention, a description thereof is omitted.
・  Only, a scan driver and a sustain driver supply a first pulse and a second pulse, whose a polarity and a width are different from a polarity and a width of the first pulse, to a scan electrode Y and a sustain electrode Z during a sustain period, respectively.  
・  FIGS. 8a and 8b illustrate a driving method of a plasma display apparatus according to a second embodiment of the present invention. 
・  As shown in FIG. 8a, the plasma display apparatus according to the second embodiment of the present invention, like the plasma display apparatus according to the first embodiment of the present invention, is driven by dividing each of subfields into a reset period for initializing all cells of a plasma display panel, an address period for selecting cells to be discharged and a sustain period for discharge maintenance of the selected cells. The plasma display apparatus according to the second embodiment of the present invention is driven during the reset period and the address period in the same manner as the plasma display apparatus according to the first embodiment of the present invention. 
・  Only, when the amount of positive wall charges accumulated on the scan electrode Y at a time when the sustain period starts is less than the amount of negative wall charges accumulated on the sustain electrode Z at the time in the sustain period, the first pulse including an initial positive pulse having a width of W1 and a final negative pulse having a width of W2, is applied to the scan electrode Y.  Further, the second pulse including an initial negative pulse having the width W2 different from the width W1 of the initial positive pulse of the first pulse and a final positive pulse having the width W1 different from the width W2 of the final negative pulse of the first pulse respectively, is applied to the sustain electrode Z during the application of the first pulse to the scan electrode Y.  
・  At this time, a ground level voltage is maintained between the initial positive pulse and the final negative pulse applied to the scan electrode Y.  Further, a ground level voltage is maintained between the initial negative pulse and the final positive pulse applied to the sustain electrode Z. 
・  Since the sustain pulse applied during the sustain period in FIG. 8a is substantially the same as the sustain pulse according to the first embodiment of the present invention, a description thereof is omitted.  
・  Only, as shown in FIG. 8b, a width W1 of the initial positive pulse of the first pulse supplied to the scan electrode during the sustain period is different from a width W2 of the initial negative pulse of the second pulse supplied to the sustain electrode during the sustain period.  Further, a width W2 of the final negative pulse of the first pulse supplied to the scan electrode during the sustain period is different from a width W1 of the final positive pulse of the second pulse supplied to the sustain electrode during the sustain period.
・  More preferably, the width W1 of the initial positive pulse of the first pulse supplied to the scan electrode during the sustain period is wider than the width W2 of the initial negative pulse of the second pulse supplied to the sustain electrode during the sustain period.  Further, the width W2 of the final negative pulse of the first pulse supplied to the scan electrode during the sustain period is narrower than the width W1 of the final positive pulse of the second pulse supplied to the sustain electrode during the sustain period. 
・  As described above, the difference between the wall voltages of the scan electrode and the sustain electrode caused by the difference between the amount of wall charges of each of the scan electrode and the sustain electrode at the time when the sustain period starts is compensated by charging the widths and the polarities of the first and second pulses applied to the scan electrode and the sustain electrode.  Accordingly, the stable sustain discharge is generated.  
・  FIG. 9 illustrate a driving method of the plasma display apparatus when the amount of positive wall charges accumulated on the scan electrode at the time when the sustain period starts, is more than the amount of negative wall charges accumulated on the sustain electrode at the time on driving the plasma display apparatus according to the second embodiment of the present invention. 
・  Driving waveforms applied during a reset period and an address period in FIG. 9 are the same as the driving waveforms applied during the reset period and the address period in FIG. 8a.  Only, the first pulse including the initial negative pulse and the final positive pulse is sequentially applied to the scan electrode Y during the sustain period.  The second pulse including the initial positive pulse of the width W2 different from the width W1 of the initial negative pulse of the first pulse and the final negative pulse of the width W1 different from the width W2 of the final positive pulse of the first pulse is applied to the sustain electrode Z during the sustain period.  An application time point of the first pulse is substantially the same as an application time point of the second pulse. 
・  Since the sustain pulse applied during the sustain period in FIG. 9 is the same as the sustain pulse of FIGS. 8a and 8b, a description thereof is omitted. 
・  The invention being thus described, it will be obvious that the same may be varied in many ways.  Such variations are not to be regarded as a departure from the spirit and scope of the invention, and all such modifications as would be obvious to one skilled in the art are intended to be included within the scope of the following claims.
BRIEF DESCRIPTION OF THE DRAWINGS
・  The invention will be described in detail with reference to the following drawings in which like numerals refer to like elements.
・  FIG. 1 shows a structure of a related art plasma display panel; 
・  FIG. 2 shows a method of representing gray scale of the related art plasma display panel of FIG. 1; 
・  FIG. 3 shows a driving waveform depending on a driving method of a related art plasma display panel; 
・  FIG. 4 shows a structure of a plasma display apparatus according to a first embodiment of the present invention; 
・  FIGS. 5a and 5b illustrate a driving method of the plasma display apparatus according to the first embodiment of the present invention; 
・  FIG. 6 illustrates a driving method of the plasma display apparatus according to a modification of the first embodiment of the present invention; 
・  FIGS. 7a and 7b illustrate a driving method of another plasma display apparatus according to the first embodiment of the present invention; 
・  FIGS. 8a and 8b illustrate a driving method of a plasma display apparatus according to a second embodiment of the present invention; and 
・  FIG. 9 illustrates a driving method of the plasma display apparatus according to a modification of the second embodiment of the present invention.
Claiｍs
1. A plasma display apparatus comprising: 
a plasma display panel comprising a scan electrode and a sustain electrode;
a scan driver for supplying a first pulse including a positive pulse having a first magnitude and a negative pulse having a second magnitude, to the scan electrode during a sustain period; and
a sustain driver for supplying a second pulse including a negative pulse of a third magnitude different from the first magnitude of the positive pulse of the first pulse and a positive pulse of a fourth magnitude different from the second magnitude of the negative pulse of the first pulse, to the sustain electrode during the application of the first pulse to the scan electrode.  
2. The plasma display apparatus of claim 1, wherein the voltage difference between the positive pulse initially applied to the scan electrode and the negative pulse initially applied to the sustain electrode is more than the voltage differences between the remaining positive pulse applied to the scan electrode and the remaining negative pulse applied to the sustain electrode during the sustain period. 
3. The plasma display apparatus of claim 1, wherein each of the voltage difference between the positive pulse applied to the scan electrode and the negative pulse applied to the sustain electrode and the voltage difference between the negative pulse applied to the scan electrode and the positive pulse applied to the sustain electrode is controlled in accordance with weight values of subfields. 
4. The plasma display apparatus of claim 3, wherein each of the voltage difference between the positive pulse applied to the scan electrode and the negative pulse applied to the sustain electrode and the voltage difference between the negative pulse applied to the scan electrode and the positive pulse applied to the sustain electrode in at least one of three low-level gray subfields, is more than each of the voltage difference between the positive pulse applied to the scan electrode and the negative pulse applied to the sustain electrode and the voltage difference between the negative pulse applied to the scan electrode and the positive pulse applied to the sustain electrode in the remaining subfields.
5. The plasma display apparatus of claim 1, wherein an application time point of the positive pulse applied to the scan electrode is substantially the same as an application time point of the negative pulse applied to the sustain electrode, and
an application time point of the negative pulse applied to the scan electrode is substantially the same as an application time point of the positive pulse applied to the sustain electrode.
6. The plasma display apparatus of claim 1, wherein a voltage of the negative pulse applied to each of the scan electrode and the sustain electrode is substantially equal to a lowest voltage of a falling pulse applied to the scan electrode prior to the sustain period. 
7. The plasma display apparatus of claim 1, wherein a voltage of the positive pulse applied to each of the scan electrode and the sustain electrode is substantially equal to a bias voltage applied to the sustain electrode. 
8. The plasma display apparatus of claim 1, wherein a ground level voltage is maintained between the positive pulse and the negative pulse applied to the scan electrode and the sustain electrode.  
9. A plasma display apparatus comprising: 
a plasma display panel comprising a scan electrode and a sustain electrode;
a scan driver for supplying a first pulse including a positive pulse having a first width and a negative pulse having a second width, to the scan electrode during a sustain period; and
a sustain driver for supplying a second pulse including a negative pulse having a third width different from the first width of the positive pulse of the first pulse and a positive pulse having a fourth width different from the second width of the negative pulse of the first pulse, to the sustain electrode during the application of the first pulse to the scan electrode.  
10. The plasma display apparatus of claim 9, wherein the voltage difference between the positive pulse initially applied to the scan electrode and the negative pulse initially applied to the sustain electrode, is more than the voltage differences between the remaining positive pulse applied to the scan electrode and the remaining negative pulse applied to the sustain electrode during the sustain period.
11. The plasma display apparatus of claim 9, wherein each of the voltage difference between the positive pulse applied to the scan electrode and the negative pulse applied to the sustain electrode and the voltage difference between the negative pulse applied to the scan electrode and the positive pulse applied to the sustain electrode is controlled in accordance with weight values of subfields. 
12. The plasma display apparatus of claim 11, wherein each of the voltage difference between the positive pulse applied to the scan electrode and the negative pulse applied to the sustain electrode and the voltage difference between the negative pulse applied to the scan electrode and the positive pulse applied to the sustain electrode in at least one of three low-level gray subfields, is more than each of the voltage difference between the positive pulse applied to the scan electrode and the negative pulse applied to the sustain electrode and the voltage difference between the negative pulse applied to the scan electrode and the positive pulse applied to the sustain electrode in the remaining subfields.
13. The plasma display apparatus of claim 9, wherein an application time point of the positive pulse applied to the scan electrode is substantially the same as an application time point of the negative pulse applied to the sustain electrode, and
an application time point of the negative pulse applied to the scan electrode is substantially the same as an application time point of the positive pulse applied to the sustain electrode.
14. The plasma display apparatus of claim 9, wherein a voltage of the negative pulse applied to each of the scan electrode and the sustain electrode is substantially equal to a lowest voltage of a falling pulse applied to the scan electrode prior to the sustain period. 
15. The plasma display apparatus of claim 9, wherein a voltage of the positive pulse applied to each of the scan electrode and the sustain electrode is substantially equal to a bias voltage applied to the sustain electrode. 
16. The plasma display apparatus of claim 9, wherein a ground level voltage is maintained between the positive pulse and the negative pulse applied to the scan electrode and the sustain electrode.
17. A method of driving a plasma display apparatus comprising: 
supplying a first pulse including a positive pulse having a first magnitude and a negative pulse having a second magnitude, to a scan electrode during a sustain period; and
supplying a second pulse including a negative pulse having a third magnitude different from the first magnitude of the positive pulse of the first pulse and a positive pulse having a fourth magnitude different from the second magnitude of the negative pulse of the first pulse, to the sustain electrode during the application of the first pulse to the scan electrode.
18. The method of claim 17, wherein the voltage difference between the positive pulse initially applied to the scan electrode and the negative pulse initially applied to the sustain electrode, is more than the voltage differences between the remaining positive pulse applied to the scan electrode and the remaining negative pulse applied to the sustain electrode during the sustain period. 
19. The method of claim 17, wherein each of the voltage difference between the positive pulse applied to the scan electrode and the negative pulse applied to the sustain electrode and the voltage difference between the negative pulse applied to the scan electrode and the positive pulse applied to the sustain electrode is controlled in accordance with weight values of subfields. 
20. The method of claim 19, wherein each of the voltage difference between the positive pulse applied to the scan electrode and the negative pulse applied to the sustain electrode and the voltage difference between the negative pulse applied to the scan electrode and the positive pulse applied to the sustain electrode in at least one of three low-level gray subfields, is more than each of the voltage difference between the positive pulse applied to the scan electrode and the negative pulse applied to the sustain electrode and the voltage difference between the negative pulse applied to the scan electrode and the positive pulse applied to the sustain electrode in the remaining subfields. 
21. The method of claim 17, wherein an application time point of the positive pulse applied to the scan electrode is substantially the same as an application time point of the negative pulse applied to the sustain electrode, and
an application time point of the negative pulse applied to the scan electrode is substantially the same as an application time point of the positive pulse applied to the sustain electrode.
22. The method of claim 17, wherein a voltage of the negative pulse applied to each of the scan electrode and the sustain electrode is substantially equal to a lowest voltage of a falling pulse applied to the scan electrode prior to the sustain period. 
23. The method of claim 17, wherein a voltage of the positive pulse applied to each of the scan electrode and the sustain electrode is substantially equal to a bias voltage applied to the sustain electrode. 
24. The method of claim 17, wherein a ground level voltage is maintained between the positive pulse and the negative pulse applied to the scan electrode and the sustain electrode.  
ABSTRACT OF THE DISCLOSURE
A plasma display apparatus and a driving method thereof are provided.  The plasma display apparatus comprises a plasma display panel including a scan electrode and a sustain electrode, a scan driver and a sustain driver.  The scan driver supplies a first pulse including a positive pulse having a first magnitude and a negative pulse having a second magnitude, to the scan electrode during a sustain period.  The sustain driver supplies a second pulse including a negative pulse having a third magnitude different from the first magnitude of the positive pulse of the first pulse and a positive pulse having a fourth magnitude different from the second magnitude of the negative pulse of the first pulse, to the sustain electrode during the application of the first pulse to the scan electrode. 
【図１】
2006227629.tif 000015
【図２】
2006227629.tif 000016
【図３】
2006227629.tif 000017
【図４】
2006227629.tif 000018
【図５ａ】
2006227629.tif 000019
【図５ｂ】
2006227629.tif 000020
【図６】
2006227629.tif 000021
【図７ａ】
2006227629.tif 000022
【図７ｂ】
2006227629.tif 000023
【図８ａ】
2006227629.tif 000024
【図８ｂ】
2006227629.tif 000025
【図９】
2006227629.tif 000026